Podtech/llm-jp-corpus-v4-ja_patent huggingface dataset:
【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
可撓性ガラスリボンのエッジ耳を管理する方法において、
切断具を有するエッジ耳切り装置に、第１のエッジと第２のエッジの間で横方向に広がる第１の広表面及び第２の広表面を有する前記可撓性ガラスリボンを導く工程、
前記可撓性ガラスリボンが前記切断具の傍を移動している間に前記可撓性ガラスリボンの前記第１のエッジを分離して、前記可撓性ガラスリボンの中央領域に連結されたエッジ耳の連続ストリップを形成する工程、及び
前記エッジ耳の連続ストリップが前記可撓性ガラスリボンの前記中央領域に連結されているままで、前記中央領域から分けられた前記エッジ耳の連続ストリップを収集する工程、
を有してなる方法。
【請求項２】
前記可撓性ガラスリボンの前記第１のエッジを取り外す前に前記可撓性ガラスリボンの前記第１のエッジに接着テープを施す工程をさらに含むことを特徴とする請求項１に記載の方法。
【請求項３】
前記エッジ耳の連続ストリップが前記接着テープを含むことを特徴とする請求項２に記載の方法。
【請求項４】
前記エッジ耳の連続ストリップを収集する工程が、ロールアセンブリ上に前記エッジ耳の連続ストリップを巻き取る工程を含むことを特徴とする請求項１から３のいずれか１項に記載の方法。
【請求項５】
前記ロールアセンブリが、駆動シャフト及び前記駆動シャフトを囲んで配された巻取ロールを含み、
前記巻取りロール上に前記エッジ耳の連続ストリップを巻き取る工程をさらに含むことを特徴とする請求項４記載の方法。
【請求項６】
前記駆動シャフトから前記巻取ロールを取り外す工程をさらに含み、前記エッジ耳の連続ストリップが前記巻取ロールを巡って配されていることを特徴とする請求項５に記載の方法。
【請求項７】
可撓性ガラスリボンを搬送方向に導く搬送アセンブリ、
切断具を含むエッジ耳切り装置であって、前記可撓性ガラスリボンが前記搬送方向に移動している間に前記可撓性ガラスリボンを受け取り、前記可撓性ガラスリボンが前記切断具の傍を通過している間に前記可撓性ガラスリボンの第１のエッジを分離して、前記可撓性ガラスリボンの中央領域に連結されたエッジ耳の連続ストリップを形成する切断具を含むエッジ耳切り装置、
及び
前記エッジ耳の連続ストリップが前記可撓性ガラスリボンの前記中央領域に連結されているままで、前記中央領域から分けられた前記エッジ耳の連続ストリップを収集するロールアセンブリ、
を備える、可撓性ガラスリボンのエッジ耳を管理する装置。
【請求項８】
前記ロールアセンブリが、モーターで駆動される駆動シャフト及び前記駆動シャフトによって受け取られるロールを含み、前記エッジ耳の連続ストリップが前記ロールを巡って巻き取られることを特徴とする請求項７に記載の装置。
【請求項９】
前記駆動シャフトが伸縮可能であることを特徴とする請求項８に記載の装置。
【請求項１０】
前記駆動シャフトが差動駆動シャフトアセンブリを含むことを特徴とする請求項８または９に記載の装置。
【手続補正書】
【提出日】平成28年4月27日(2016.4.27)
【手続補正１】
【補正対象書類名】明細書
【補正対象項目名】００４２
【補正方法】変更
【補正の内容】
【００４２】
図２の方法は、図１の方法とは、ＣＶＩによってＢＮ中間相を形成するステップ12’を、ＢＦ3-ＮＨ3-Ｈ2タイプの反応ガス混合物を用いて実施することしか異なっておらず、他のステップ10、11、13〜19は、図1の方法のステップと同じである。ＣＶＩ法は、1050℃未満（例えば900℃〜1050℃の範囲）の温度で実施することが好ましく、圧力は、20kPa未満（例えば２kPa〜20kPaの範囲）となるように選択する。本発明の実施態様の一部を以下の項目［１］−［１０］に記載する。
［１］
少なくとも大半がセラミックでできたマトリックスを有する複合材料からなる部品を製造する方法であって、
１原子％未満の酸素を含む炭化ケイ素繊維から繊維性プレフォームを製造すること、
化学気相含浸法によってそのプレフォームの繊維の表面に窒化ホウ素中間相を0.3μm/時未満の堆積速度で堆積させること
その中間相を堆積させた後、その中間相をあらかじめ酸化雰囲気に曝露することなく、マトリックス層をその中間相の上に堆積させる前に、1300℃よりも高く、かつその後マトリックスによるプレフォームの高密化が完了するまでに遭遇する最高温度以上の温度で熱処理を実施してその中間相の窒化ホウ素を安定化させること、
次いで、少なくとも大半がセラミックでできたマトリックスによってプレフォームを高密化すること
を含む方法。
［２］
前記窒化ホウ素中間相を0.1μm/時未満の堆積速度で堆積させることを特徴とする項目１に記載の方法。
［３］
前記窒化ホウ素中間相を、三塩化ホウ素ＢＣｌ3とアンモニアＮＨ3と気体水素Ｈ2を含む反応ガス混合物から、800℃未満の温度にて５kPa未満の圧力で堆積させることを特徴とする項目１または２に記載の方法。
［４］
前記窒化ホウ素中間相を、三フッ化ホウ素ＢＦ3とアンモニアＮＨ3と気体水素Ｈ2を含む反応ガス混合物から、1050℃未満の温度にて20kPa未満の圧力で堆積させることを特徴とする項目１または２に記載の方法。
［５］
前記熱処理の時間が0.25時間〜４時間の範囲であることを特徴とする項目１〜４のいずれかに記載の方法。
［６］
前記熱処理の時間が0.5時間〜２時間の範囲であることを特徴とする項目１〜４のいずれかに記載の方法。
［７］
コンフォメータに保持されたプレフォームを用いて前記窒化ホウ素中間相を形成し、熱処理の後、化学気相含浸によってその中間相の上に少なくとも１つのセラミック層を堆積させて前記コンフォメータに保持されたプレフォームを一体化し、その一体化したプレフォームを前記コンフォメータから取り出した後にそのプレフォームの高密化を実施することを特徴とする項目１〜６のいずれかに記載の方法。
［８］
前記プレフォームの高密化の少なくとも一部を化学気相含浸法によって実現することを特徴とする項目１〜７のいずれかに記載の方法。
［９］
前記プレフォームの高密化の少なくとも一部を、少なくとも１種類のセラミック前駆ポリマーを含浸させて焼成することにより実現することを特徴とする項目１〜８のいずれかに記載の方法。
［１０］
前記プレフォームの高密化の少なくとも一部を、炭素および／またはセラミックの粉末をそのプレフォームの中に導入し、溶融状態のケイ素系金属を含浸させることによって実現することを特徴とする項目１〜９のいずれかに記載の方法。
【手続補正２】
【補正対象書類名】特許請求の範囲
【補正対象項目名】全文
【補正方法】変更
【補正の内容】
【特許請求の範囲】
【請求項１】
少なくとも大半がセラミックでできたマトリックスを有する複合材料からなる部品を製造する方法であって、
１原子％未満の酸素を含む炭化ケイ素繊維から繊維性プレフォームを製造すること、
化学気相含浸法によってそのプレフォームの繊維の表面に窒化ホウ素中間相を0.3μm/時未満の堆積速度で堆積させること
その中間相を堆積させた後、その中間相をあらかじめ酸化雰囲気に曝露することなく、マトリックス層をその中間相の上に堆積させる前に、1300℃よりも高く、かつその後マトリックスによるプレフォームの高密化が完了するまでに遭遇する最高温度以上の温度で熱処理を実施してその中間相の窒化ホウ素を安定化させること、
次いで、少なくとも大半がセラミックでできたマトリックスによってプレフォームを高密化すること
を含む方法。
【請求項２】
前記窒化ホウ素中間相を0.1μm/時未満の堆積速度で堆積させる、請求項１に記載の方法。
【請求項３】
前記窒化ホウ素中間相を、三塩化ホウ素ＢＣｌ3とアンモニアＮＨ3と気体水素Ｈ2を含む反応ガス混合物から、800℃未満の温度にて５kPa未満の圧力で堆積させる、請求項１に記載の方法。
【請求項４】
前記窒化ホウ素中間相を、三フッ化ホウ素ＢＦ3とアンモニアＮＨ3と気体水素Ｈ2を含む反応ガス混合物から、1050℃未満の温度にて20kPa未満の圧力で堆積させる、請求項１に記載の方法。
【請求項５】
前記熱処理の時間が0.25時間〜４時間の範囲である、請求項１に記載の方法。
【請求項６】
前記熱処理の時間が0.5時間〜２時間の範囲である、請求項１に記載の方法。
【請求項７】
コンフォメータに保持されたプレフォームを用いて前記窒化ホウ素中間相を形成し、熱処理の後、化学気相含浸によってその中間相の上に少なくとも１つのセラミック層を堆積させて前記コンフォメータに保持されたプレフォームを一体化し、その一体化したプレフォームを前記コンフォメータから取り出した後にそのプレフォームの高密化を実施する、請求項１に記載の方法。
【請求項８】
前記プレフォームの高密化の少なくとも一部を化学気相含浸法によって実現する、請求項１に記載の方法。
【請求項９】
前記プレフォームの高密化の少なくとも一部を、少なくとも１種類のセラミック前駆ポリマーを含浸させて焼成することにより実現する、請求項１に記載の方法。
【請求項１０】
前記プレフォームの高密化の少なくとも一部を、炭素および／またはセラミックの粉末をそのプレフォームの中に導入し、溶融状態のケイ素系金属を含浸させることによって実現する、請求項１に記載の方法。
【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
電源からの位相カット動作電圧で少なくとも１つの低電力照明ユニットを動作させるための回路装置であって、
少なくとも第１及び第２の供給端子を有する、前記電源に接続するための入力デバイスと、
２ポート電力成形回路であって、前記２ポート電力成形回路が、少なくとも、
前記入力デバイスのそれぞれの供給端子に接続された第１及び第２の入力端子と、
第１及び第２の供給接続線を介して前記入力端子に接続された第１及び第２の出力端子と、
前記入力端子の間に交流経路を提供するために前記第１及び第２の入力端子に接続され、前記電源から動作中に引き出される全体電流を所定の最小負荷電流に設定する制御可能なブリーダ回路と、
前記動作電圧の高周波振動を減衰させるために第１及び第２の接続点で前記第１及び第２の供給接続線に接続される減衰回路とを備える２ポート電力成形回路と、
前記２ポート電力成形回路の前記出力端子の少なくとも１つに接続され、前記少なくとも１つの低電力照明ユニットに接続するランプドライバユニットとを備え、
前記ランプドライバユニットが、少なくとも、
前記少なくとも１つの低電力照明ユニットのランプ電流を設定するランプ電流制御装置と、
前記少なくとも１つの低電力照明ユニットの瞬時ランプ電流に対応する第１のフィードバック信号を提供する第１のフィードバック回路とを備え、前記ランプ電流制御装置が、前記フィードバック信号に応じて前記ランプ電流を制御して、前記ランプ電流が設定値電流に対応するようにするために前記第１のフィードバック回路に接続され、前記制御可能なブリーダ回路は、前記ランプ電流の制御と無関係に、前記全体電流を前記所定の最小負荷電流に設定する、
回路装置。
【請求項２】
前記制御可能なブリーダ回路は、前記全体電流が前記所定の最小負荷電流よりも低いときに作動される、請求項１に記載の回路装置。
【請求項３】
前記全体電流に対応する第２のフィードバック信号を決定し、前記第２のフィードバック信号を前記制御可能なブリーダ回路に提供する第２のフィードバック回路を更に備える、請求項１又は２に記載の回路装置。
【請求項４】
前記第１及び／又は第２のフィードバック回路が、第１の電流感知抵抗と第２の電流感知抵抗との直列接続に結合され、前記直列接続が、前記第２の供給端子と基準電位部との間に結合される、請求項３に記載の回路装置。
【請求項５】
前記第１のフィードバック回路が、前記第１のフィードバック信号を決定するために、前記第１の電流感知抵抗と第２の電流感知抵抗との間の電流感知点に接続される、請求項４に記載の回路装置。
【請求項６】
前記第２のフィードバック回路が、瞬時全体電流に対応する前記第２のフィードバック信号を決定するために、前記入力デバイスの前記第２の供給端子に接続される、請求項３乃至５のいずれか一項に記載の回路装置。
【請求項７】
前記電力成形回路の前記第２の出力端子が、前記基準電位部に接続され、前記第１の電流感知抵抗が、前記第２の入力端子と前記第２の出力端子との間に直列接続され、前記第２の電流感知抵抗が、前記第２の供給端子と前記第２の入力端子との間に直列に配置される、請求項４又は５に記載の回路装置。
【請求項８】
前記ランプドライバユニットが、前記電力成形回路の前記第１の出力端子と前記基準電位部との間に接続される、請求項４、５又は７に記載の回路装置。
【請求項９】
前記入力デバイスが、フルブリッジ整流器を備え、前記整流器の正の出力が前記第１の供給端子に接続され、前記整流器の負の出力が前記第２の供給端子に接続される、請求項１乃至８のいずれか一項に記載の回路装置。
【請求項１０】
前記減衰回路が、調光器エッジの検出後、前記全体電流が、前記所定の最小負荷電流よりも高い、増加されたエッジ電流に制御されるようにする、請求項１乃至９のいずれか一項に記載の回路装置。
【請求項１１】
前記減衰回路から前記ブリーダ回路への電流が減少されるように、少なくとも電流制限器が、前記第１の入力端子と前記第１の接続点との間で前記第１の供給接続線に提供される、請求項１乃至１０のいずれか一項に記載の回路装置。
【請求項１２】
前記位相カット動作電圧から調光レベルを決定する調光レベル検出器を更に備え、前記調光レベル検出器が、決定された調光レベルに応じて前記設定値電流を設定するために前記ランプ電流制御装置に接続される、請求項１乃至１１のいずれか一項に記載の回路装置。
【請求項１３】
請求項１乃至１２のいずれか一項に記載の回路装置と、前記ランプドライバユニットに接続された少なくとも１つのＬＥＤユニットとを備える、ＬＥＤランプ。
【請求項１４】
請求項１３に記載のＬＥＤランプと、前記ＬＥＤランプに位相カット動作電圧を提供するための電源とを備える、照明システム。
【請求項１５】
回路装置を備える少なくとも１つの低電力照明ユニットを動作させる方法であって、前記回路装置が、
少なくとも第１及び第２の供給端子を有する、電源から位相カット動作電圧を受け取るための入力デバイスと、
２ポート電力成形回路であって、前記２ポート電力成形回路が、前記入力デバイスのそれぞれの供給端子に接続された少なくとも第１及び第２の入力端子と、第１及び第２の供給接続線を介して前記入力端子に接続された第１及び第２の出力端子と、前記入力端子の間に交流経路を提供するために前記第１及び第２の入力端子に接続された制御可能なブリーダ回路と、前記動作電圧の高周波振動を減衰させるために前記第１及び第２の供給接続線に接続された減衰回路とを備える２ポート電力成形回路と、
前記２ポート電力成形回路の前記出力端子の少なくとも１つに接続され、前記少なくとも１つの低電力照明ユニットに接続するランプドライバユニットとを備え、
前記ブリーダ回路が、前記電源から動作中に引き出される全体電流を所定の最小負荷電流に設定し、
前記ランプドライバユニットが、第１のフィードバック信号に応じてランプ電流を制御して、前記ランプ電流が設定値電流に対応するようにし、前記ブリーダ回路は、前記ランプ電流の制御と無関係に、前記全体電流を前記所定の最小負荷電流に設定する、
方法。
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
モビリティ管理エンティティ-ユーザ機器(MME-UE)鍵、非アクセス層(NAS)メッセージカウント値、および情報要素に関連付けられたコンテキスト列に基づいて、鍵ストリームを生成するステップと、
前記生成された鍵ストリームを使用して前記情報要素を暗号化処理するステップと
を含む、ワイヤレス通信の方法。
【請求項２】
前記暗号化処理するステップが、前記生成された鍵ストリームを使用して前記情報要素を暗号化するステップを含み、
前記暗号化された情報要素を送るステップ
をさらに含む、請求項1に記載の方法。
【請求項３】
前記MME-UE鍵が、アクセスセキュリティ管理エンティティ(ASME)鍵(K_ASME)を含む、請求項1に記載の方法。
【請求項４】
前記コンテキスト列が、前記情報要素内で送信されるべきデータのタイプに関連付けられた情報を含む、請求項1に記載の方法。
【請求項５】
前記コンテキスト列が、前記情報要素を送るエンティティまたは前記情報要素を受信するエンティティのうちの少なくとも1つに関連付けられた識別情報を含む、請求項1に記載の方法。
【請求項６】
前記情報要素が、無線ネットワーク一時識別子(RNTI)、表現識別子、サービス識別子、トランザクション識別子、MME識別子、第1のUE鍵、第2のUE鍵、または最終のUE鍵のうちの少なくとも1つを含む、請求項1に記載の方法。
【請求項７】
前記生成された鍵ストリームの一部分が、暗号化プロセスにおいて鍵として使用される、請求項1に記載の方法。
【請求項８】
モビリティ管理エンティティ-ユーザ機器(MME-UE)鍵、非アクセス層(NAS)メッセージカウント値、および情報要素に関連付けられたコンテキスト列に基づいて、鍵ストリームを生成するための手段と、
前記生成された鍵ストリームを使用して前記情報要素を暗号化処理するための手段と
を備える、ワイヤレス通信のための装置。
【請求項９】
前記暗号化処理するための手段が、前記生成された鍵ストリームを使用して前記情報要素を暗号化するように構成され、前記暗号化された情報要素を送るための手段をさらに備える、請求項8に記載の装置。
【請求項１０】
前記MME-UE鍵が、アクセスセキュリティ管理エンティティ(ASME)鍵(K_ASME)を含む、請求項8に記載の装置。
【請求項１１】
前記コンテキスト列が、前記情報要素内で送信されるべきデータのタイプに関連付けられた情報を含む、請求項8に記載の装置。
【請求項１２】
前記コンテキスト列が、前記情報要素を送るエンティティまたは前記情報要素を受信するエンティティのうちの少なくとも1つに関連付けられた識別情報を含む、請求項8に記載の装置。
【請求項１３】
前記情報要素が、無線ネットワーク一時識別子(RNTI)、表現識別子、サービス識別子、トランザクション識別子、MME識別子、第1のUE鍵、第2のUE鍵、または最終のUE鍵のうちの少なくとも1つを含む、請求項8に記載の装置。
【請求項１４】
前記生成された鍵ストリームの一部分が、暗号化プロセスにおいて鍵として使用される、請求項8に記載の装置。
【請求項１５】
請求項１〜７のいずれか一項に記載の方法を実行するための命令を有するコンピュータプログラム。
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
ワイヤレスノードによるワイヤレス通信のための方法であって、
第１のセルの基地局から、ワイヤレスデバイスのためのランダムアクセスチャネル（ＲＡＣＨ）構成に関する情報を受信することと、
前記ＲＡＣＨ構成に基づいて、前記ワイヤレスデバイスからのＲＡＣＨ送信を検出することと、
前記検出されたＲＡＣＨ送信を前記第１のセルの前記基地局に報告することと、
前記第１のセルの前記基地局から、前記報告されたＲＡＣＨ送信に基づいて前記ワイヤレスデバイスとのアップリンク通信とダウンリンク通信とのうちの少なくとも１つを実行する際に使用するための１つまたは複数のパラメータを示すシグナリングを受信することと
を備える、方法。
【請求項２】
前記ワイヤレスデバイスの前記ＲＡＣＨ構成に関する前記情報が、オーバージエア（ＯＴＡ）インターフェース、Ｘ２インターフェース、またはファイバーインターフェースのうちの少なくとも１つを介して受信される、請求項１に記載の方法。
【請求項３】
前記第１のセルの前記基地局から、前記ワイヤレスデバイスからアップリンク送信を受信するためのアップリンク構成パラメータを受信することをさらに備える、請求項１に記載の方法。
【請求項４】
前記第１のセルの前記基地局から、前記ワイヤレスデバイスのためのアップリンク通信とダウンリンク通信とのうちの少なくとも１つをサービスするために前記ワイヤレスノードが選択されたことを示すシグナリングを受信することをさらに備える、請求項１に記載の方法。
【請求項５】
前記シグナリングは、前記ワイヤレスデバイスとのアップリンク通信とダウンリンク通信の両方のために前記ワイヤレスノードが選択されたことを示す、請求項４に記載の方法。
【請求項６】
前記シグナリングは、前記ワイヤレスデバイスのアップリンク通信をサービスするために少なくとも１つの追加のワイヤレスノードも選択されたことを示す、請求項４に記載の方法。
【請求項７】
基地局によるワイヤレス通信のための方法であって、
ワイヤレスデバイスに、ランダムアクセスチャネル（ＲＡＣＨ）構成を送信することと、
ワイヤレスノードに、前記ワイヤレスデバイスのための前記ＲＡＣＨ構成に関する情報を送信することと、
前記ワイヤレスノードから、前記ＲＡＣＨ構成に関する前記情報に基づいて前記ワイヤレスノードによって検出されたＲＡＣＨ送信を示すシグナリングを受信することと、
前記ワイヤレスノードに、前記ＲＡＣＨ送信を示す前記受信されたシグナリングに基づいて前記ワイヤレスデバイスとのアップリンク通信とダウンリンク通信とのうちの少なくとも１つを実行する際に使用するための１つまたは複数のパラメータを示すシグナリングを送信することと
を備える、方法。
【請求項８】
前記ワイヤレスノードに、前記ワイヤレスデバイスからアップリンク送信のためのアップリンク構成パラメータを送信することをさらに備える、請求項７に記載の方法。
【請求項９】
前記ワイヤレスノードに、前記ワイヤレスデバイスのアップリンク通信とダウンリンク通信とのうちの少なくとも１つをサービスするために前記ワイヤレスノードが選択されたことを示すシグナリングを送信することをさらに備える、請求項７に記載の方法。
【請求項１０】
前記シグナリングは、前記ワイヤレスデバイスのアップリンク通信とダウンリンク通信の両方をサービスするために前記ワイヤレスノードが選択されたことを示す、請求項９に記載の方法。
【請求項１１】
前記シグナリングは、前記ワイヤレスデバイスの少なくとも１つのアップリンクおよびダウンリンク通信をサービスするために少なくとも１つの追加のワイヤレスノードも選択されたことを示す、請求項９に記載の方法。
【請求項１２】
前記ワイヤレスデバイスに、前記ワイヤレスノードとのアップリンク通信とダウンリンク通信とのうちの少なくとも１つにおいて使用するためのパラメータを送信することをさらに備え、ここにおいて、前記パラメータが、タイミング調整パラメータ、電力調整パラメータ、仮想セル識別情報、リソースのセット、または変調およびコーディング方式のうちの少なくとも１つを含む、請求項７に記載の方法。
【請求項１３】
ワイヤレスノードの装置であって、
第１のセルの基地局から、ワイヤレスデバイスのためのランダムアクセスチャネル（ＲＡＣＨ）構成に関する情報を受信するための手段と、
前記ＲＡＣＨ構成に基づいて、前記ワイヤレスデバイスからのＲＡＣＨ送信を検出するための手段と、
前記検出されたＲＡＣＨ送信を前記第１のセルの前記基地局に報告するための手段と、
前記第１のセルの前記基地局から、前記報告されたＲＡＣＨ送信に基づいて前記ワイヤレスデバイスとのアップリンク通信とダウンリンク通信とのうちの少なくとも１つを実行する際に使用するための１つまたは複数のパラメータを示すシグナリングを受信するための手段と
を備える、装置。
【請求項１４】
基地局の装置であって、
ワイヤレスデバイスに、ランダムアクセスチャネル（ＲＡＣＨ）構成を送信することと、
ワイヤレスノードに、前記ワイヤレスデバイスのための前記ＲＡＣＨ構成に関する情報を送信することと、
前記ワイヤレスノードから、前記ＲＡＣＨ構成に関する前記情報に基づいて前記ワイヤレスノードによって検出されたＲＡＣＨ送信を示すシグナリングを受信することと、
前記ワイヤレスノードに、前記ＲＡＣＨ送信を示す前記受信されたシグナリングに基づいて前記ワイヤレスデバイスとのアップリンク通信とダウンリンク通信とのうちの少なくとも１つを実行する際に使用するための１つまたは複数のパラメータを示すシグナリングを送信することと
を備える、装置。
【請求項１５】
請求項１乃至６または請求項７乃至１２のうちの１つの方法の全てのステップを実装するためにコンピュータ実行可能なプログラム命令を備える、コンピュータプログラム。
【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
誘導結合型の電力伝送システムにおける誘導結合型の電力送信機をアクティブ化する方法であって、前記誘導結合型の電力送信機は、充電面と誘導結合型の電力受信機を含むデバイスとに近接する複数の送信コイルを有し、前記方法は、
(a) 各送信コイルの領域よりもはるかに大きい領域を有する１つ以上の検出コイルを利用して、前記充電面に近接したデバイスの存在を検出するステップと、
(b) デバイスが検出されると、当該デバイスへ電力を伝送するために前記誘導結合型の電力送信機をアクティブ化するステップと、
を含むことを特徴とする方法。
【請求項２】
前記１つ以上の検出コイルは、複数の送信コイルを取り囲んでいることを特徴とする請求項１に記載の方法。
【請求項３】
複数の検出コイルのそれぞれが、複数の送信コイルを取り囲んでいることを特徴とする請求項１に記載の方法。
【請求項４】
前記１つ以上の検出コイルは、デバイスの存在に起因した周波数の変化を検出するために駆動及びモニタリングされることを特徴とする請求項１から３のいずれか１項に記載の方法。
【請求項５】
前記周波数の変化は、多数のサイクルにわたってモニタリングされることを特徴とする請求項４に記載の方法。
【請求項６】
前記誘導結合型の電力送信機のアクティブ化によって、前記誘導結合型の電力送信機の、スタンバイ状態からのウェイクアップが行われることを特徴とする請求項１から５のいずれか１項に記載の方法。
【請求項７】
アクティブ状態からの前記誘導結合型の電力送信機のアクティブ化によって、当該電力送信機は、更なるデバイスが存在するかを判定することを特徴とする請求項１から５のいずれか１項に記載の方法。
【請求項８】
誘導結合型の電力伝送システムにおける誘導結合型の電力送信機をアクティブ化する方法であって、前記誘導結合型の電力送信機は、充電面と誘導結合型の電力受信機を含むデバイスとに近接する複数の送信コイルを有し、前記方法は、
(a) デバイスの存在を検出するために、充電面に当該デバイスによって加えられる力を検出するステップと、
(b) 前記デバイスが検出されると、当該デバイスへ電力を伝送するために前記誘導結合型の電力送信機をアクティブ化するステップと、
を含むことを特徴とする方法。
【請求項９】
前記検出される力は、過渡的な力であることを特徴とする請求項８に記載の方法。
【請求項１０】
加速度計が、前記過渡的な力を検出することを特徴とする請求項９に記載の方法。
【請求項１１】
前記検出される力は、静的な力であることを特徴とする請求項８に記載の方法。
【請求項１２】
１つ以上のロードセルが、前記静的な力を検出することを特徴とする請求項１１に記載の方法。
【請求項１３】
タッチ面が、１つ以上のデバイスの存在及び位置を検出することを特徴とする請求項１２に記載の方法。
【請求項１４】
誘導結合型の電力送信機であって、
デバイスの誘導結合型の電力受信機へ電力を伝送するように適合した１つ以上の送信コイルと、
前記電力送信機の面に加えられる力をモニタリングすることによって潜在デバイスの存在を検出し、かつ、潜在デバイスの検出に応じて、前記誘導結合型の電力送信機をアクティブ化する力検出器と、
を有することを特徴とする誘導結合型の電力送信機。
【請求項１５】
誘導結合型の電力送信機であって、
デバイスの誘導結合型の電力受信機へ電力を伝送するように適合した１つ以上の送信コイルと、
それぞれが前記１つ以上の送信コイルの領域よりもはるかに大きい領域を有する１つ以上の検出コイルであって、潜在デバイスの存在を検出し、かつ、前記誘導結合型の電力送信機をアクティブ化するための１つ以上の検出コイルと、
を有することを特徴とする誘導結合型の電力送信機。
【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
変更されたグリコシル化を有するＦｃドメインを含む単離された結合性ポリペプチドであって、Ｆｃドメインが、ＥＵナンバリングによるアミノ酸２９８位にアスパラギン残基、およびＥＵナンバリングによるアミノ酸３００位にセリンまたはスレオニン残基を含み、結合性ポリペプチドが、前記グリコシル化が変更されたことにより低減したエフェクター機能を示す、前記結合性ポリペプチド。
【請求項２】
以下の条件の１つまたはそれ以上に合致する、請求項１に記載の結合性ポリペプチド：
ａ）結合性ポリペプチドは、ＥＵナンバリングによるアミノ酸２９９位にアラニン残基をさらに含む；
ｂ）結合性ポリペプチドは、ＥＵナンバリングによるアミノ酸２９７位にグルタミン残基をさらに含む；
ｃ）Ｆｃドメインは、ＩｇＧ１のＦｃドメインである；
ｄ）アスパラギン残基の側鎖は、β−グリコシルアミド結合によってグリカンに連結している；
ｅ）結合性ポリペプチドは、天然のＦｃドメインを有する結合性ポリペプチドよりもＦｃγ受容体に対して低い親和性を有する；および
ｆ）結合性ポリペプチドは、ＦｃＲｎ受容体に対して、天然のＦｃドメインを有する結合性ポリペプチドと類似した親和性を有する。
【請求項３】
以下の条件の１つまたはそれ以上に合致する、請求項１または２に記載の結合性ポリペプチド：
ａ）Ｆｃドメインはヒトである；
ｂ）グリカンは、二分岐グリカンである；
ｃ）グリカンは、天然に存在する哺乳動物の糖型である；
ｄ）Ｆｃγ受容体は、ＦｃγＲＩおよび／またはＦｃγＲＩＩＩａである；
ｅ）グリカンは、反応性アルデヒド基を含む；
ｆ）グリカンは、反応性アルデヒド基を含む酸化された糖残基を含む；および
ｇ）グリカンは、エフェクター部分に連結している。
【請求項４】
以下の条件の１つまたはそれ以上に合致する、請求項３に記載の結合性ポリペプチド：
ａ）酸化された糖残基は、末端のシアル酸またはガラクトースである；
ｂ）エフェクター部分は、細胞毒である；
ｃ）エフェクター部分は、検出剤である；
ｄ）エフェクター部分は、ｐＨ感受性リンカー、ジスルフィドリンカー、酵素感受性リンカー、または他の切断可能なリンカー部分を含む；および
ｅ）エフェクター部分は、表２または１４に示すリンカー部分の群から選択されるリンカー部分を含む。
【請求項５】
以下の条件の１つまたはそれ以上に合致する、請求項３または４に記載の結合性ポリペプチド：
ａ）細胞毒は、表１に列挙する細胞毒の群から選択される；
ｂ）エフェクター部分は、グリカンの糖残基にオキシムまたはヒドラゾン結合によって連結している；および
ｃ）糖残基は、グリカンの末端のシアル酸またはガラクトース残基である。
【請求項６】
抗体またはイムノアドヘシンである、請求項１〜５のいずれか１項に記載の結合性ポリペプチド。
【請求項７】
Ｆｃドメインを含む単離された結合性ポリペプチドであって、Ｆｃドメインは以下のいずれかを含む：
ａ）ＥＵナンバリングによるアミノ酸２９８位に遊離のアスパラギン残基、およびＥＵナンバリングによるアミノ酸３００位に遊離のセリンまたはスレオニン残基；または
ｂ）ＥＵナンバリングによるアミノ酸２９８位に修飾アスパラギン残基、およびＥＵナンバリングによるアミノ酸３００位に遊離のセリンまたはスレオニン残基。
【請求項８】
以下の条件の１つまたはそれ以上に合致する、請求項７に記載の結合性ポリペプチド：
ａ）エフェクター部分は、修飾アスパラギン残基の側鎖によってグリカンの糖残基に連結されている；および
ｂ）エフェクター部分は、オキシムまたはヒドラゾン結合によってグリカンの糖残基に連結されている。
【請求項９】
以下の条件の１つまたはそれ以上に合致する、請求項７に記載の結合性ポリペプチド：
ａ）糖は、グリカンの末端のシアル酸またはガラクトース残基である；
ｂ）糖は、グリカンの末端のシアル酸またはガラクトース残基である；および
ｃ）修飾アスパラギン残基は、薬物エフェクター部分に連結して抗体薬物コンジュゲート（ＡＤＣ）を形成する。
【請求項１０】
請求項１〜９のいずれか１項に記載の結合性ポリペプチド、および薬学的に許容される担体または賦形剤を含む、組成物。
【請求項１１】
医薬として使用するための、有効量の請求項１０の組成物。
【請求項１２】
請求項１〜９のいずれか１項に記載の結合性ポリペプチドをコードする、単離されたポリヌクレオチド。
【請求項１３】
請求項１２に記載のポリヌクレオチドを含むベクター。
【請求項１４】
請求項１２または１３に記載のポリヌクレオチドまたはベクターを含む宿主細胞。
【請求項１５】
請求項１２に記載のポリヌクレオチドまたは請求項１３に記載のベクターを細胞中で発現させることを含む、結合性ポリペプチドを作製する方法。
【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
ラック上の物品を焼くための熱風ラックオーブンであって、オーブンチャンバ（５）と、前記オーブンチャンバの壁内で垂直方向に連続する開口（８）の形態の、熱風を前記オーブンチャンバに吹き込むための熱風入り口（７）と、熱風を前記オーブンチャンバから排出するための排出口（９）と、ドア開口（２５）と、ドア（１１）と、垂直軸のまわりに回転するラック（１８）を回転させるラック回転機構とを含み、前記オーブンチャンバ壁は１つまたは複数の湾曲部分（２７、２７’、…）を有し、各前記湾曲部分は、ほぼ垂直な軸を中心とした直径Ｄの円のセグメントであり、前記１つまたは複数の湾曲部分は、前記ほぼ垂直な軸に関する角度に対し、前記１つまたは複数の湾曲部分が対する全角度は、前記チャンバの周縁のうちの８０°よりも大きく、かつ３００°未満である熱風ラックオーブンにおいて、前記ドア（１１）は、基本的に前記オーブンチャンバと同じ直径Ｄで湾曲し、前記開口の片側に向かって横方向に移動することができ、前記開口（２５）は、前記開口の最も内側の縁部で６０°〜１００°の角度に対し、前記湾曲したドアを含む前記オーブンチャンバは、略円形の断面を有することを特徴とする熱風ラックオーブン。
【請求項２】
前記オーブンチャンバ壁は、前記チャンバの前記周縁のうちの８０°よりも大きく、かつ３００°未満の角度に連続して対する単一の湾曲部分を含む、請求項１に記載の熱風ラックオーブン。
【請求項３】
前記湾曲部分は、前記チャンバの前記周縁のうちの９０°〜２７０°の角度に連続して対する、請求項２に記載の熱風ラックオーブン。
【請求項４】
前記オーブンチャンバ壁は、２つ以上の湾曲部分を有し、前記湾曲部分の少なくとも１つは、前記チャンバの前記周縁のうちの６０°未満であるが、５°よりも大きい角度に対する、請求項１に記載の熱風ラックオーブン。
【請求項５】
前記オーブンチャンバ壁の各湾曲部分の前記ほぼ垂直な軸は、前記ラック回転機構の垂直回転軸Ｖとほぼ同軸であることを特徴とする、請求項１〜４のいずれか１項に記載の熱風ラックオーブン。
【請求項６】
円筒形チャンバ壁セグメント２７の最小径Ｄｍｉｎは、少なくとも１１２６ｍｍであることを特徴とする、請求項１〜５のいずれか１項に記載の熱風ラックオーブン。
【請求項７】
円筒形チャンバ壁セグメント２７の最大径Ｄｍａｘは、１３２６ｍｍ未満であることを特徴とする、請求項１〜６のいずれか１項に記載の熱風ラックオーブン。
【請求項８】
円筒形チャンバ壁セグメント２７の最小径Ｄｍｉｎは、少なくとも８９５ｍｍであることを特徴とする、請求項１〜５のいずれか１項に記載の熱風ラックオーブン。
【請求項９】
円筒形チャンバ壁セグメント２７の最大径Ｄｍａｘは、Ｄｍｉｎよりも２００ｍｍを超えて大きくないことを特徴とする、請求項８に記載の熱風ラックオーブン。
【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
プレバイオティック作用物質として、単離され、濃縮されたチラコイド、又はその部分を含む組成物の非治療的な使用。
【請求項２】
哺乳動物の腸管における乳酸菌の増殖を促進するためである、請求項１に記載の使用。
【請求項３】
増殖が促進される前記細菌が、乳酸桿菌（Ｌａｃｔｏｂａｃｉｌｌｉ）及び／又はビフィドバクテリウム（Ｂｉｆｉｄｏｂａｃｔｅｒｉｕｍ）である、請求項１又は２に記載の使用。
【請求項４】
前記チラコイド又はその部分が、緑葉又は緑藻類から濃縮される、請求項１〜３の何れか１項に記載の使用。
【請求項５】
前記チラコイド又はその部分が、ホウレンソウから濃縮されたチラコイド又はその部分である、請求項４に記載の使用。
【請求項６】
前記組成物におけるクロロフィルの含有量が、前記組成物１ｇ当たり約１ｍｇ〜７５ｍｇである、請求項１〜５の何れか１項に記載の使用。
【請求項７】
前記組成物が食品の部分である、請求項１〜６の何れか１項に記載の使用。
【請求項８】
前記組成物が、前記チラコイド又はその部分を含む、生理的に許容できる水中油型エマルションを含む、経口用栄養補助食品組成物である、請求項１〜７の何れか１項に記載の使用。
【請求項９】
単離され、濃縮されたチラコイド、又はその部分、及びプロバイオティック細菌を含む組成物。
【請求項１０】
前記プロバイオティック細菌が、ビフィドバクテリウム（Ｂｉｆｉｄｏｂａｃｔｅｒｉｕｍ）又はラクトバチルス（Ｌａｃｔｏｂａｃｉｌｌｕｓ）である、請求項９に記載の組成物。
【請求項１１】
前記チラコイドが、緑葉又は緑藻類から濃縮される、請求項９〜１０の何れか１項に記載の組成物。
【請求項１２】
前記チラコイド又はその部分が、ホウレンソウから濃縮されたチラコイド又はその部分である、請求項１１に記載の組成物。
【請求項１３】
前記組成物におけるクロロフィルの含有量が、前記組成物１ｇ当たり約１ｍｇ〜７５ｍｇである、請求項９〜１２の何れか１項に記載の組成物。
【請求項１４】
食品又は医薬の部分である、請求項９〜１３の何れか１項に記載の組成物。
【請求項１５】
チラコイドを含む、生理的に許容できる水中油型エマルションを含む、経口用製剤又は栄養補助食品組成物である、請求項９〜１４の何れか１項に記載の組成物。
【手続補正書】
【提出日】平成28年8月4日(2016.8.4)
【手続補正１】
【補正対象書類名】明細書
【補正対象項目名】００３０
【補正方法】変更
【補正の内容】
【００３０】
図２Ａは広帯域の分散ビームが試料の結晶粒によって回折されるときの相対距離を示す側面図である。具体的には、光源１１０と試料１０の間の距離はｄｓｓである。試料１０とラウエ焦点面５０の間の距離はｄｓｄ１であり、試料１０と投影面５２の間の距離はｄｓｄ２である。
【手続補正２】
【補正対象書類名】明細書
【補正対象項目名】００３９
【補正方法】変更
【補正の内容】
【００３９】
３次元結晶粒マップの再構成のために試料面に結晶粒の輪郭を再度投影する１つの手法は、投影面からラウエ焦点面５０におけるライン焦点を通して結晶粒形状を再投影することである。そうすると、試料内の正確な結晶粒位置に関する推論とともにセットアップ（光源位置）の幾何学的形状がわかっているので、反射を生じさせる屈折率および波長を識別することができる。
【手続補正３】
【補正対象書類名】明細書
【補正対象項目名】００７８
【補正方法】変更
【補正の内容】
【００７８】
場合によっては、コントローラ１０５はラウエ検出器１５０からのデータのみまたは投影面検出器１５２からのデータのみを使用して試料１０を分析する。しかしながら、一般的にはラウエ検出器１５０から得た情報が試料の分析に最も役立つ。
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
スライド上に戴置された１つ以上の組織サンプルを処理するための自動スライド処理装置用の流体輸送システムであって、該装置は、スライドの１つ１つを受け入れるように構成された複数のスライド処理モジュールを含むものであり、
該流体輸送システムは、前記１つ以上の組織サンプルをそれぞれ処理するために、複数の試薬を、スライド処理モジュールに受け入れられたスライドの前記１つ１つに注入するように、コントローラによって構成された流体注入ロボットを含み、
該流体注入ロボットは、複数の対応する試薬容器から、注入すべき試薬をポンプ送給するように、コントローラによって構成されたポンプ手段と、
ポンプ手段によってポンプ送給された１つ以上の試薬を保存するように構成された本体を有し、注入すべき前記１つ以上の試薬を充填するようにしたプローブと、
プローブの本体上に設置され、注入すべき１つ以上の充填試薬の体積を増加させるために、前記１つ以上の試薬をさらに保存するように構成されたウエルとを有し、
プローブは、注入すべき前記１つ以上の充填試薬を、スライド処理モジュールに受け入れられたスライドの前記１つ１つに注入するように構成される、システム。
【請求項２】
プローブの本体は、再封止可能コネクタにおいて、ポンプ手段と接続された試薬ラインに対して着脱自在に装着される請求項１記載のシステム。
【請求項３】
プローブの本体は、流体注入ロボットに対して１つ以上のプローブ首輪において着脱自在に装着される請求項１または２記載のシステム。
【請求項４】
流体注入ロボットはさらに、ウエルとポンプ手段との間に設けられ、プローブから注入された試薬の量を検知するための圧力センサを含む請求項１〜３のいずれかに記載のシステム。
【請求項５】
流体注入ロボットは、プローブの端部に設けられ、注入すべき前記１つ以上の充填された試薬を注入するように構成されたノズルを含む請求項１〜４のいずれかに記載のシステム。
【請求項６】
プローブのノズルは、スライド処理モジュールのうちの前記１つにおいてカバー部材と結合し、前記カバー部材の入口ポートとほぼ密閉するように結合しながら、前記１つ以上の試薬が注入されるように構成される請求項５記載のシステム。
【請求項７】
流体注入ロボットはさらに、プローブのノズルをスライド処理モジュールのうちの前記１つの入口ポートに向けて付勢するドライバ手段を含み、１つ以上の試薬を注入しながら、入口ポートとの密閉を維持する請求項５記載のシステム。
【請求項８】
流体輸送システムはさらに、プローブを洗浄ドラムの中に挿入した場合、プローブを洗浄するための洗浄ステーションを含む請求項１〜７のいずれかに記載のシステム。
【請求項９】
洗浄ドラムは、流体輸送システムの洗浄ポンプと接続された洗浄流体注入ポートを含み、洗浄ポンプは、洗浄液を１つ以上の洗浄液容器から洗浄ドラムの中にポンプ送給するように、コントローラによって構成される請求項８記載のシステム。
【請求項１０】
洗浄ドラムは、洗浄ドラム内に挿入した場合、プローブの上に前記洗浄液の乱流を生成する凹凸表面を有する請求項９記載のシステム。
【請求項１１】
洗浄ドラムはさらに、前記洗浄液を洗浄ドラムから回収し除去するために、回収チャンバおよび排出ポートを含む請求項９または１０記載のシステム。
【請求項１２】
洗浄ドラムは、入口ポートと出口ポートとを含み、ガスが、入口ポートを通って洗浄ドラムに入り、プローブ周囲の洗浄液と混合し、ガスは出口ポートを通って出ていく請求項８〜１１のいずれかに記載のシステム。
【請求項１３】
真空力を出口ポートに印加し、ガスを入口ポートの中へ出口ポートから引き込むように構成された真空手段をさらに含む請求項１２記載のシステム。
【請求項１４】
ポンプ手段はさらに、連続した試薬の間にある空隙を用いて、試薬容器の異なる１つ１つから、１つより多い試薬を連続的にポンプ送給及び／又は吸引して、プローブを複数の異なる試薬で充填するように、コントローラによって構成される請求項１〜１３のいずれかに記載のシステム。
【請求項１５】
スライド上に戴置された１つ以上の組織サンプルの処理のための流体を輸送する方法であって、スライドの１つ１つが、複数のスライド処理モジュールに受け入れられ、複数の試薬が、少なくとも１つの流体注入ロボットによって、スライド処理モジュールに受け入れられたスライドの前記１つ１つに注入されて、前記１つ以上の組織サンプルをそれぞれ処理するものであり、
複数の対応する試薬容器から、注入すべき試薬をポンプ送給するステップと、
対応する試薬容器からポンプ送給された１つ以上の試薬をプローブの本体に保存して、注入すべき前記１つ以上の試薬をプローブに充填するステップと、
前記１つ以上の試薬を、プローブの本体上に設置されたウエルにさらに保存して、注入すべき１つ以上の充填試薬の体積を増加させるステップと、
注入すべき前記１つ以上の充填試薬を、スライド処理モジュールに受け入れられたスライドの前記１つ１つに注入するステップと、を含む方法。
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
スライド上に戴置された１つ以上の組織サンプルを処理するための自動スライド処理装置用のスライド輸送システムであって、
該スライド処理装置は、スライドの１つ１つを受け入れるように構成された複数のスライド処理モジュールと、
１つ以上の組織サンプルをそれぞれ処理するために、複数の試薬を、スライド処理モジュールに受け入れられたスライドの前記１つ１つに注入するように、コントローラによって構成された、少なくとも１つの流体注入ロボットとを含み、
該スライド輸送システムは、スライドをスライド処理モジュールへ、そしてスライド処理モジュールから移動するように、コントローラによって構成されたスライド輸送ロボットと、
スライド輸送ロボットに設置され、スライドを取り外し可能に保持するように、コントローラによって構成されたスライド輸送デバイスとを含み、
該スライド輸送ロボットは、スライド輸送ロボットがスライドの１つをスライド処理モジュールへ移動するようにコントローラによって構成される場合、スライド処理モジュールのうちの１つの閉鎖本体を移動して、通常は閉止位置に保持されている閉止本体を開放位置へ移動するように構成されたスライド操作ヘッドを含み、
該スライド輸送デバイスは、閉止本体が開放位置にある場合、スライドを解放して、スライドをスライド処理モジュールに設置するようにコントローラによって構成される、スライド輸送システム。
【請求項２】
スライド操作ヘッドはさらに、閉鎖本体を開放位置に移動するために、閉鎖本体の荷担面に対して接触するように構成される請求項１記載のスライド輸送システム。
【請求項３】
スライド輸送ロボットがスライドをスライド処理モジュール内に設置または除去した後、スライド輸送ロボットがｘ軸に移動する場合、スライド操作ヘッドは、スライド処理モジュールのうちの前記１つの閉鎖本体の荷担面に対する接触しながら、閉鎖本体のバイアスが閉鎖本体を閉止位置に移動する請求項２記載のスライド輸送システム。
【請求項４】
スライド操作ヘッドは、スライド処理モジュールのうちの前記１つの閉鎖本体の荷担面に接触し、スライド処理モジュール上に置かれた旋回軸の周りに閉鎖本体を開放位置に旋回させる請求項３記載のスライド輸送システム。
【請求項５】
使用の際、閉鎖本体が閉止位置から開放位置に旋回する場合、閉鎖本体の一端が、離隔した突出接触部材とスライド輸送デバイスとの間にある隙間の中に延びて、突出接触部材の一部が、閉鎖本体上のアームとカムローラとの間に設けられた隙間の中に延びる請求項４記載のスライド輸送システム。
【請求項６】
閉鎖本体は、閉止位置において閉鎖本体の凹部と連携するように構成された、拘束アームから突出する戻り止めを用いて、閉止位置に拘束される請求項１記載のスライド輸送システム。
【請求項７】
荷担面は、拘束アームの一端に設置される請求項６記載のスライド輸送システム。
【請求項８】
スライド操作ヘッドは、スライド処理モジュールのうちの前記１つの閉鎖本体の荷担面に対して接触して、閉鎖本体を戻り止めから解放し、その結果、スライド処理モジュール上に置かれた旋回軸の周りに閉鎖本体を開放位置に旋回させる請求項７記載のスライド輸送システム。
【請求項９】
スライド処理モジュールは、バイアス力を閉鎖本体に印加して、閉鎖本体を開放位置に旋回させるための開放バイアス手段をさらに含む請求項８記載のスライド輸送システム。
【請求項１０】
スライド処理モジュールは、バイアス力を閉鎖本体に印加して、閉鎖本体を閉止位置に旋回させるための閉止バイアス手段をさらに含む請求項８または９記載のスライド輸送システム。
【請求項１１】
スライド輸送デバイスは、スライドを取り外し可能に保持する吸引デバイスを含む請求項１〜１０のいずれかに記載のスライド輸送システム。
【請求項１２】
スライド操作ヘッドは、スライド上に設置されたラベルを読み取るように構成された証印読取機を含み、
証印読取機は、ラベルを読み取って、対応するスライド上に戴置された１つ以上の組織サンプルを処理するコントローラ用の命令を示す情報を受け取るように構成される請求項１〜１１のいずれかに記載のスライド輸送システム。
【請求項１３】
スライド輸送ロボットはさらに、スライドにカバースリップを設けるためのカバースリップモジュールへ、またはカバースリップモジュールからスライドを移動するように、コントローラによって構成される請求項１〜１２のいずれかに記載のスライド輸送システム。
【請求項１４】
スライド輸送ロボットは、前記少なくとも１つの流体注入ロボットと組み合わられる請求項１〜１３のいずれかに記載のスライド輸送システム。
【請求項１５】
スライド上に戴置された１つ以上の組織サンプルの処理のためにスライドを輸送する方法であって、
これによりスライドの１つ１つが、複数のスライド処理モジュールに受け入れられ、複数の試薬が、少なくとも１つの流体注入ロボットによって、スライド処理モジュールに受け入れられたスライドの前記１つ１つに注入され、前記１つ以上の組織サンプルをそれぞれ処理するものであり、
スライド輸送ロボットに設置されたスライド輸送デバイスを用いて、スライドを取り外し可能に保持するステップと、
スライド輸送ロボットを用いて、スライドを、スライド処理モジュールへ、そしてスライド処理モジュールから移動するステップと、
スライド輸送ロボットがスライドの１つをスライド処理モジュールへ移動する場合、スライド輸送ロボットのスライド操作ヘッドを移動して、スライド処理モジュールのうちの１つの、通常は閉止位置に保持されている閉止本体を開放位置へ移動するステップと、
閉止本体が開放位置にある場合、スライドの前記１つを解放して、スライドをスライド処理モジュールに設置するステップとを含む、方法。